(57)【要約】本発明は、少なくとも２対のファイバを有する単一のケーブル１を備え、かつ各終端に分岐回線装置６、８を有する海底光ファイバ伝送ネットワークであって、各分岐回線装置が、それぞれ少なくとも２対のファイバを有する２つのケーブルセクション１０、１２、１４、１６によって端末装置アイテム１８〜２１、２２〜２５に接続されたネットワークに関する。各接続装置が、単一のケーブルの対のファイバを自体に接続された２つのケーブルセクションの２対のファイバに対して切り替える。本発明により、環状構成を維持し、同期デジタル階層の機構によってトラフィックを回復することを可能にしながら、ネットワーク構造を単純化することが可能となる。
2004501567.tif 000002
【特許請求の範囲】
【請求項１】
少なくとも２対のファイバを有する単一のケーブル（１）を備え、かつ各終端に分岐ユニット（６、８）を有する海底光ファイバ伝送ネットワークであって、各分岐ユニットが、それぞれ少なくとも２対のファイバを有する２つのケーブルセクション（１０、１２、１４、１６）によって端末装置（１８〜２１、２２〜２５）に接続され、各分岐ユニットは、該単一のケーブルの該少なくとも２対のファイバを該各分岐ユニット自体に接続された２つのケーブルセクションの２対のファイバに対して切り替えるネットワーク。
【請求項２】
各端末装置が１対のファイバに接続され、単一のケーブルの１つの終端において、マルチプレクサ（３０）が、１対のファイバ（３２、３３）によって一方のケーブルセクション（１０）の端末装置（１８）に、また別の１対のファイバ（３４、３５）によって他方のケーブルセクション（１２）の端末装置（２１）に接続されることを特徴とする請求項１に記載のネットワーク。
【請求項３】
マルチプレクサが４つの端局を有することを特徴とする請求項２に記載のネットワーク。
【請求項４】
マルチプレクサ（３０）が同期デジタル階層アドドロップマルチプレクサであることを特徴とする請求項２または３に記載のネットワーク。
【請求項５】
単一のケーブルの１つの終端において、１本のファイバにより、一方のケーブルセクション（１０）の別の端末装置（１９）に、別の１本のファイバにより、他方のケーブルセクション（１２）の端末装置（２１）に、またさらに別の１本のファイバにより、前記マルチプレクサ（３０）の端局に接続された第２のマルチプレクサ（４２）を有することを特徴とする請求項２または３に記載のネットワーク。
【請求項６】
第２のマルチプレクサ（４２）が同期デジタル階層アドドロップマルチプレクサであることを特徴とする請求項５に記載のネットワーク。
【請求項７】
単一のケーブルの１つの終端において、１本のファイバにより、一方のケーブルセクション（１０）の別の端末装置（１９）に、別の１本のファイバにより、他方のケーブルセクション（１２）の端末装置（２１）に、またさらに別の１本のファイバにより、前記マルチプレクサ（３０）の別の端局に接続された第３のマルチプレクサ（４６）を有することを特徴とする請求項５または６に記載のネットワーク。
【請求項８】
第３のマルチプレクサ（４６）が同期デジタル階層アドドロップマルチプレクサであることを特徴とする請求項７に記載のネットワーク。
【請求項９】
単一のケーブルの１つの終端において、
マルチプレクサ（３０）の端局から、端末装置（１８）、ケーブルセクション（１０）、および分岐ユニット（６）を介して単一のケーブルまで高速回復トラフィックを送信することと、
マルチプレクサ（３０）の端局上で、単一のケーブルから、分岐ユニット（６）、他方のケーブルセクション（１２）、および端末装置（２１）を介して高速回復トラフィックを受信することとを含む請求項２から８のいずれか一項に記載のネットワーク内で使用するための伝送方法。
【請求項１０】
単一のケーブルの１つの終端において、
第２のマルチプレクサ（４２）の端局から、マルチプレクサ（３０）、端末装置（１８）、ケーブルセクション（１０）、および分岐ユニット（６）を介して単一のケーブルまで低速回復トラフィックを送信することと、
第３のマルチプレクサ（４６）の端局上で、単一のケーブルから、分岐ユニット（６）、他方のケーブルセクション（１２）、端末装置（２１）、およびマルチプレクサ（３０）を介して低速回復トラフィックを受信することとを含む請求項９に記載の方法。
【請求項１１】
障害が生じた場合、単一のケーブルの１つの終端において、
マルチプレクサ（３０）の端局から、端末装置（１８）、ケーブルセクション（１０）、および分岐ユニット（６）を介して単一のケーブルまで高速回復トラフィックを送信することと、
マルチプレクサ（３０）の端局上で、単一のケーブルから、分岐ユニット（６）、同一のケーブルセクション（１２）、および同一の端末装置（２１）を介して高速回復トラフィックを受信することとを含む請求項９または１０に記載の方法。
【請求項１２】
障害が生じた場合、単一のケーブルの１つの終端において、
第２のマルチプレクサ（４２）の端局から、端末装置（２０）、ケーブルセクション（１２）、および分岐ユニット（６）を介して単一のケーブルまで低速回復トラフィックを送信することと、
第３のマルチプレクサ（４６）の端局上で、単一のケーブルから、分岐ユニット（６）、同一のケーブルセクション（１２）、および同一の端末装置（２０）を介して低速回復トラフィックを受信することとを含む請求項９または１０に記載の方法。
【発明の詳細な説明】
【０００１】
本発明は、光ファイバ伝送に関し、より詳細には、高ビットレート波長分割多重海底伝送ネットワークに関する。「高ビットレート」という表現は、１５５メガビット／秒を超えるビットレートを意味する。
【０００２】
海底光ファイバ伝送ネットワークは、障害に対して可能な限り高い耐性を有するように設計される。関与する障害には、電気的原因、およびとても重要なものとして、リピータ内の光学的原因、ならびに海底ケーブルの局所的破損による機械的原因等、様々な原因がありえる。目的は、いくつかの型の障害に対して低コストでトラフィックを保護することである。
【０００３】
同期デジタル階層（ＳＤＨ）が、トラフィックをフレーム内にカプセル化することによってフォーマットして保護機構を提供する。
【０００４】
４ｆ　Ｍｓ　ＳＰＲｉｎｇ　Ｔｒａｎｓｏｃｅａｎｉｃアプリケーションとして知られている保護機構が、ＩＴＵ　Ｒｅｃｏｍｍｅｎｄａｔｉｏｎ　Ｇ．８４１に記載されている（「４ｆ　Ｍｓ　ＳＰＲｉｎｇ」は、「４ファイバ多重セクション保護リング」の省略形であることを留意されたい）。この機構は、回線ファイバ上で問題が生じた場合、バックアップファイバに信号を経路指定する。物理的には、一方向伝送のために、この機構は、リング内で２対のファイバを必要とする。したがって、各伝送方向ごとに２対のファイバを含むリングトポロジを有する海底光ファイバ伝送システムが既に提案されている。この場合、２地点を接続するリングのセグメント内の障害を、その２地点を接続する別の物理経路を見つけることによって緩和することができる。ＳＤＨ原理を使用する切替装置が開発されている。
【０００５】
本発明は、障害に対して波長分割多重海底伝送ネットワークを保護する問題に対する解決策を提案する。本発明は、物理リソースのよりよい使用を提案し、障害が生じた場合に迅速な回復で少なくともいくらかのトラフィックの保護を保証する解決策を提案する。本発明は、トラフィックの残りの部分に関して、より遅い回復を提供する。本発明は、既存の切替装置を使用して容易に実施することができる。
【０００６】
より正確には、本発明は、少なくとも２対のファイバを有する単一のケーブルを含み、各終端が分岐ユニットを有し、各分岐ユニットはそれぞれが少なくとも２対のファイバを有する２つのケーブルセクションによって端末装置に接続され、また各分岐ユニットが単一のケーブルの１対のファイバをそれに接続された２つのケーブルセクションの２対のファイバに対して切り替える、海底光ファイバ伝送ネットワークを提案する。
【０００７】
本発明の一実施形態では、各端末装置は、１対のファイバに接続され、単一のケーブルの１つの終端で、マルチプレクサが１対のファイバによって一方のケーブルセクションの端末装置に接続され、また別の１対のファイバによって他方のケーブルセクションの端末装置に接続される。
【０００８】
この場合、マルチプレクサは、４つの端局を有することが好都合である。
【０００９】
マルチプレクサは、好ましくは、同期デジタル階層アドドロップマルチプレクサである。
【００１０】
ネットワークは、単一のケーブルの１つの終端で、１本のファイバによって一方のケーブルセクションの別の端末装置に接続され、また別の１本のファイバによって他方のケーブルセクションの端末装置に接続され、またさらなる１本のファイバによって前記マルチプレクサの１つの端局に接続された第２のマルチプレクサを有することが可能である。
【００１１】
この場合、第２のマルチプレクサは、同期デジタル階層アドドロップマルチプレクサであることが好都合である。
【００１２】
ネットワークは、単一のケーブルの１つの終端で、１本のファイバによって一方のケーブルセクションの別の端末装置に接続され、また別の１本のファイバによって他方のケーブルセクションの端末装置に接続され、またさらなる１本のファイバによって前記マルチプレクサの別の１つの端局に接続された第３のマルチプレクサを有することが可能である。
【００１３】
この場合、第３のマルチプレクサは、同期デジタル階層アドドロップマルチプレクサであることが好都合である。
【００１４】
また、本発明は、前述した種類のネットワークで使用するための伝送方法であって、単一のケーブルの１つの終端において、
マルチプレクサの端局から、端末装置、ケーブルセクション、および分岐ユニットを介してその単一のケーブルに高速回復トラフィックを送信することと、
マルチプレクサの端局上で、単一のケーブルから、分岐ユニット、他方のケーブルセクション、および端末装置を介して高速回復トラフィックを受信することとを含む方法も提供する。
【００１５】
また、本方法は、単一のケーブルの１つの終端において、
第２のマルチプレクサの端局から、マルチプレクサ、端末装置、一方のケーブルセクション、および分岐ユニットを介してその単一のケーブルに低速回復トラフィックを送信することと、
第３のマルチプレクサの端局上で、その単一のケーブルから、分岐ユニット、他方のケーブルセクション、端末装置、およびマルチプレクサを介して、低速回復トラフィックを受信することも含むことが可能である。
【００１６】
障害が生じた場合、本方法は、好ましくは、単一のケーブルの１つの終端において、
マルチプレクサの端局から、端末装置、ケーブルセクション、および分岐ユニットを介してその単一のケーブルに高速回復トラフィックを送信することと、
マルチプレクサの端局上で、単一のケーブルから、分岐ユニット、同じケーブルセクション、および同じ端末装置を介して高速回復トラフィックを受信することとを含む。
【００１７】
障害が生じた場合、本方法は、単一のケーブルの１つの終端において、
第２のマルチプレクサの端局から、端末装置、ケーブルセクション、および分岐ユニットを介してその単一のケーブルに低速回復トラフィックを送信することと、
第３のマルチプレクサの端局上で、その単一のケーブルから、分岐ユニット、同じケーブルセクション、および同じ端末装置を介して低速回復トラフィックを受信することとを含むことが可能である。
【００１８】
本発明のその他の特徴と利点は、例として供与し、添付の図面を参照する本発明の実施形態の以下の説明を読むことで明白となる。
【００１９】
本発明は、一方で、ネットワークトポロジを提案し、また他方で、そのネットワークトポロジのための回復機構を提案する。トポロジに関して、本発明は、海底伝送ネットワークにおける機械的障害が実質的に浅い水域で生じるという知見に基づく。したがって、従来技術のリングネットワークトポロジと比べ、本発明は、伝送ネットワークの中央部分、すなわち、深い水域において、単一のケーブルだけを使用することを提案する。この単一ケーブルは、各終端にファイバ切替分岐ユニットを有し、したがって、本発明のネットワークは、この単一のケーブルのどちらの側でも、従来技術で使用されるのと同じトポロジを有することが可能である。リングトポロジと比べて、本発明のトポロジはネットワークを単純化し、詳細には、深い水域において別個の２本のケーブルを敷設する必要性を回避する。
【００２０】
トラフィック回復に関して、本発明は、障害が生じた場合、迅速に復元または再経路指定することができる、以降、「高速回復トラフィック」または「ＦＲトラフィック」（ここで、「ＦＲ」は「高速回復」を意味する）とも呼ぶ「高速トラフィック」と、障害が生じた場合、回復または再経路指定することができるが、ＦＲトラフィックほど迅速にではなくそれが行われる、以降、「低速回復トラフィック」または「ＳＲトラフィック」（ここで、「ＳＲ」は「低速回復」を意味する）とも呼ぶ「低速トラフィック」に、トラフィックを分離することを提案する。「高速」および「低速」という用語の正確な意味は、以降の説明でより明白となる。簡単には、高速トラフィックの場合の回復は、まったくＳＤＨ機構だけに基づき、一方、低速トラフィックの場合の回復には、ファイバ切替分岐ユニットを切り替えることが関与する。いかなる場合も、「低速」および「高速」という修飾語が、伝送速度を指すことは決してなく、これらは障害が生じた場合の回復の速度を指すものである。
【００２１】
ネットワークトポロジとトラフィック分離の組合せにより、障害が生じた場合にすべてのトラフィックを回復するネットワークの能力を保ちながら、従来技術におけるよりも物理リソースの使用が良好になる。
【００２２】
以降の説明では、本発明をその最も単純な構成で説明する。この構成では、ネットワークは、２対のファイバだけを含む。当分野の技術者には、この構成を複製してネットワークの伝送容量を増大させるのが可能なことが明白であろう。
【００２３】
図１は、本発明による伝送ネットワークを示す図である。前述したとおり、このネットワークは、その中央部分において単一のケーブルを有するリングに対応するトポロジを有する。したがって、この図は、単一のケーブル１、すなわち、２対の光ファイバ２および４を含むネットワークの中央部分を示している。各対は、双方向伝送を提供する。この単一のケーブルは、好ましくは、深い水域に対応する。「深い水域」とは、深さのため、ネットワークに影響を与える機械的障害が起こりそうにない水域を意味する。２００ｍを超える深さが、機械的障害の確率が低い深い水域の例である。
【００２４】
各終端で、単一のケーブル１は、分岐ユニット６または８を有す。各分岐ユニット６（あるいは、８）は、一方ではその単一のケーブルの複数対のファイバと、他方では２つのケーブルセクション１０および１２（あるいは、１４および１６）の一方または他方のセクションの複数対のファイバとの間でファイバ切替動作を行うことができる。各ケーブルセクション１０または１２（あるいは、１４または１６）は、分岐ユニット６（あるいは、８）と、１対の海底着地端末装置（ＳＬＴＥ）１８、１９または２０および２１（あるいは、２２および２３または２４および２５）とを接続する。各端末装置は、１対のファイバに接続される。リングを閉じるため、地上接続２６および２７または２８および２９によって陸上で複数対の装置が互いに接続される。
【００２５】
通常の動作では、分岐ユニット６（あるいは、８）は、単一のケーブル１の複数対のファイバをケーブルセクション１０および１２（あるいは、１４および１６）のそれぞれの１対ずつのファイバに結合する。この構成を図に示しており、各ケーブルセクション内で、単一のケーブルの１対に結合された対を実線で示し、他方の対は破線で示している。ケーブルセクション内のこの実線の対は、以降、「能動的ペア」とも呼び、またケーブルセクション内の破線の対は、以降、「受動的ペア」またはバックアップペアとも呼ぶ。１つのケーブルセクション上で障害が生じた場合、分岐ユニットは、単一のケーブルの複数対を２つのケーブルセクションのうちの一方の複数対に結合することができる。
【００２６】
その通常の構成では、ネットワークは、１対のファイバからリングを形成する。つまり、単一のケーブルの１対のファイバ２から開始して、リングは逆時計回りに、分岐ユニット６、ケーブルセクション１０、装置１８、地上リンク２６、装置２１、ケーブルセクション１２、分岐ユニット６、単一のケーブルの第２の１対のファイバ４、分岐ユニット８、ケーブルセクション１６、装置２５、地上リンク２９、装置２２、ケーブルセクション１４、分岐ユニット８を経てその１対のファイバ２に戻る。以下に説明するとおり、障害が生じた場合、このリング構成が保たれる。
【００２７】
図２は、障害が生じた場合の高速トラフィック回復を示す、図１のネットワークの一部分を示す図である。前述したとおり、この場合、障害は、分岐ユニットと１対の端末装置を接続するケーブルセクション内で生じるものと想定する。図２は、単一のケーブル１の終端におけるネットワークの、障害が生じる部分だけを示している。高速トラフィック回復に関して、本発明は、ＳＤＨ機構などの従来技術の回復機構の図１に関連して説明した特定のトポロジにおける使用に基づいている。
【００２８】
図２は、やはり、既に説明したアイテムを示し、詳細には、分岐ユニット６、ケーブルセクション８および１０、ならびに装置１８ないし２１を示している。図２は、ＳＤＨ回復機構を実装するためのマルチプレクサを示している。このＳＤＨ　ＡＤＭ（アドドロップマルチプレクサ）３０は、２本のファイバ３２、３３を備えたＳＤＨ集合体により、ケーブルセクション１０上の能動的ペアのファイバに接続された端末装置１８に接続され、また２本のファイバ３４、３５により、ケーブルセクション１２の能動的ペアのファイバに接続された端末装置２１に接続されている。マルチプレクサ３０は４つの端局を有し、２つの端局は、図２にＦＲで示す高速トラフィックのためのものであり、また２つの端局は、図２にＳＲで示す低速トラフィックのためのものである。高速トラフィックのための２つの端局は、クライアント端局である。低速トラフィックのための２つの端局は、図３と関連してより詳細に説明する。通常の動作モードでは、高速トラフィックは、端末装置１８または２１とＡＤＭ３０の間の１本のファイバ上に経路指定され、また低速トラフィックは、他の１本のファイバ上に経路指定される。したがって、ＦＲ端局は、それぞれ、装置１８および２１に接続される。端局ＳＲに関しても同様である。より具体的には、図に示した実施例では、一方のＦＲ端局がファイバ３２によって装置１８に接続され、また他方のＦＲ端局がファイバ３４によって装置２１に接続される。同様に、一方のＳＲ端局がファイバ３３によって装置１８に接続され、また他方のＳＲ端局がファイバ３５によって装置２１に接続される。ＳＤＨ　ＡＤＭ３０の通常の動作状態をこの図の細線で示している。したがって、扱われることが可能な高速回復トラフィックの量と低速回復トラフィックの量は、好ましくは、同程度であり、これにより、ネットワーク内のファイバの占有率が最適化される。
【００２９】
障害が生じた場合、ＳＤＨ　ＡＤＭ３０は、前述したＳＤＨ回復機構を使用し、低速トラフィックを不利にして高速トラフィックを経路指定することができる。例えば、トラフィックが、ケーブルセクション１０上で装置１８と分岐ユニット６の間で障害を被ったと想定する。この場合、装置１８を通過するファイバ３２内の高速トラフィックは、もはや、ケーブルセクション１０を通過することができない。ＳＤＨ機構を適用することにより、前にファイバ３２に接続されていたＦＲ端局が、この時点で、図２の矢印４０で示すとおり、ファイバ３５に接続される。したがって、高速トラフィックは、ＳＤＨ　ＡＤＭ内で、もはやファイバ３２にではなく、反対に、前に低速トラフィックのために使用されていたファイバ３５に経路指定される。これにより、低速トラフィックに対して高速トラフィックが優先し、結果として、高速トラフィックが装置２１を通り、次にケーブルセクション１２を経て、分岐ユニット６まで即時に経路指定される、という具合である。本発明の構成は、障害が生じた場合、ＳＤＨ　ＡＤＭ３０内に実装されるＳＤＨによって許可される速度で高速トラフィックを回復することに留意されたい。つまり、高速トラフィックに関してリング構成が保たれる。低速トラフィックには割込みが行われ、その後、図３に示すとおり回復される。
【００３０】
図３に示すとおり、低速回復トラフィックも再経路指定することができる。図３は、高速トラフィックに関連して既に前述した構成要素だけでなく、低速トラフィックを回復するのに必要とされる構成要素も示している。これらには、２つのＳＤＨ　ＡＤＭである４２および４３が含まれる。ＡＤＭ４２は、ＡＤＭ３０のＳＲ端局に接続されている。また、ＡＤＭ４２は、２つのＳＤＨ集合体により、一方で装置１９に、また他方で装置２０に接続されている。また、ＡＤＭ４２は、図３にＳＲで示す低速回復トラフィックのためのクライアント端局も有する。同様に、ＡＤＭ４３は、この図で示すＡＤＭ３０の他方のＳＲ端局に接続されている。また、ＡＤＭ４３は、ＡＤＭ４２と全く同様に、２つのＳＤＨ集合体により、一方で装置１９に、他方で装置２０に接続されている。ＡＤＭ４２と全く同様に、ＡＤＭ４３は、図３にやはりＳＲで示す低速トラフィックのためのクライアント端局を有する。
【００３１】
通常の動作モードでは、ＡＤＭ４２のクライアント端局から来る低速トラフィックが、ＡＤＭ３０のＳＲ端局に経路指定され、次に、ファイバ３３を介して装置１８に経路指定される。同様に、ＡＤＭ４３のクライアント端局から来る低速トラフィックが、ＡＤＭ３０のＳＲ端局に経路指定され、次に、ファイバ３５を介して装置２１に経路指定される。これは、したがって、リング構成における通常の動作モードである。図２の実施例におけるように障害が生じた場合、装置１８によって経路指定される低速トラフィックは、もはやケーブルセクション１０を通過しない。ＡＤＭ４３、ＡＤＭ３０、およびファイバ３５を介して装置２１によって経路指定される低速トラフィックに対する割込みが行われて、高速トラフィックが回復される。
【００３２】
低速回復トラフィックは、次に説明する仕方で回復される。最初に、矢印４５で示すとおり、ファイバ切替動作が分岐ユニット６内で実行されて、ケーブルセクション１０の能動的ペアに前に結合されていた単一のケーブル１の１対のファイバがケーブルセクション１２の受動的ペアに切り替えられる。次に、矢印４６で示すとおり、ケーブルセクション１２の、もはや受動的ではない、受動的ペアを介して、ＡＤＭ４２内のＳＲクライアント端局が装置２０に経路指定され、次に、分岐ユニットに経路指定される。ＡＤＭ４３では、矢印４７で示すとおり、ＳＲカストマ端局も装置２０に接続される。これが、低速トラフィックに関するリング構成を再構成する。
【００３３】
前述の説明から、高速トラフィックは、マルチプレクサ３０内のＳＤＨ機構を使用して回復されることが明白である。低速トラフィックは、まず、高速トラフィックを回復するために中断され、次に、マルチプレクサ４２および４６内のＳＤＨ機構を使用した分岐ユニット内でファイバ切替えの後、回復される。したがって、低速トラフィックのための回復時間は、高速トラフィックを回復するのに必要な時間よりも長く、これが修飾語の「高速」および「低速」の所以である。例えば、高速トラフィックは、およそ５０ミリ秒内に回復することが可能である。分岐ユニット内で行われるケーブル切替えは、装置によって供給される警報の分析に応答して、自動方式であることも、またはオペレータの介入を受けることも可能である。低速トラフィックの回復時間は数十秒から数分程度となりうる。この時間は、実際、分岐ユニットの自動切替えが許可されない場合、分岐ユニットを切り替えるまでの、ネットワークを監視するオペレータの反応時間に依存する。この場合、ＳＤＨネットワーク装置の自動切替時間は、オペレータの応答時間と比べて、無視できるほど短い。
【００３４】
図２および図３の実施形態では、ＳＤＨ　ＡＤＭ３０、４２、および４６をＭＳＰ１＋１モード（ＭＳＰは「多重セクション保護」を意味する）で構成して前述した切替えを確実にすることができる。低速トラフィックは、ＳＮＣ−Ｐ（サブネットワーク接続保護）モードで構成して、分岐ユニットを切り替えたとき、そのトラフィックの自動再経路指定を確実にすることができる。
【００３５】
もちろん、本発明は、説明し、図示した実施例および実施形態には限定されず、当分野の技術者には明らかとなる多くの変形形態に利用することができる。したがって、図１から図３の実施形態では、ＳＤＨ機構は、マルチプレクサ３０、４２、および４３内で使用される。本発明はこれらの機構とは独立に適用されるものであること、および他の機構を使用して低速トラフィックおよび高速トラフィックを経路指定できることが明白である。提案したＡＤＭ以外の型の切替装置を使用することが可能である。また、一方で装置１８と１９を、または他方で装置２０と２１を結合することが可能であることも明白である。これらの装置は、それでも、それぞれがやはり１対のケーブルに接続されるということで、機能的に見れば別々であることになる。
【図面の簡単な説明】
【図１】
本発明による伝送ネットワークを示す図である。
【図２】
障害が生じた場合の高速トラフィック回復を示す図１のネットワークの一部分を示す図である。
【図３】
障害が生じた場合の低速トラフィック回復を示す図１のネットワークの一部分を示す図である。
【図１】
2004501567.tif 000003
【図２】
2004501567.tif 000004
【図３】
2004501567.tif 000005
【国際公開パンフレット】
2004501567.tif 000006
2004501567.tif 000007
2004501567.tif 000008
2004501567.tif 000009
2004501567.tif 000010
2004501567.tif 000011
2004501567.tif 000012
2004501567.tif 000013
2004501567.tif 000014
2004501567.tif 000015
2004501567.tif 000016
2004501567.tif 000017
2004501567.tif 000018
2004501567.tif 000019
2004501567.tif 000020
【国際調査報告】
2004501567.tif 000021
2004501567.tif 000022
2004501567.tif 000023
2004501567.tif 000024
2004501567.tif 000025
2004501567.tif 000026
2004501567.tif 000027
2004501567.tif 000028